(57)【要約】【課題】利用者が目的とする項目を選択するまでの待ち時間を短縮し、且つ、利用者が目的とする項目を見逃す可能性を減らすようなスクロール表示装置を提供する。【解決手段】所定の表示領域に表示する１又は複数の項目をスクロールするためのスクロール手段と、前記スクロール手段によるスクロールの速度を調整するためのスクロール速度調整手段と、を備え、前記スクロール速度調整手段は、利用者によるスクロールのための操作時間と、前記表示領域に表示する各項目に関連した情報に基づいて、前記スクロール速度を調整する。【選択図】図１０
2018084676.tif 000002
【特許請求の範囲】
【請求項１】
所定の表示領域に表示する１又は複数の項目をスクロールするためのスクロール手段と、
前記スクロール手段によるスクロールの速度を調整するためのスクロール速度調整手段と、
を備え、
前記スクロール速度調整手段は、利用者によるスクロールのための操作時間と、前記表示領域に表示する各項目に関連した情報に基づいて、前記スクロール速度を調整することを特徴とするスクロール表示装置。
【請求項２】
請求項１に記載のスクロール表示装置であって、
前記スクロール速度調整手段は、利用者によるスクロールのための操作が操作に関する所定の条件を満たしたならば、前記スクロール速度を通常の速度よりも早くすることを特徴とするスクロール表示装置。
【請求項３】
請求項１又は２に記載のスクロール表示装置であって、
前記スクロール速度調整手段は、スクロール速度を通常の速度よりも早くしてから、スクロール先の方向に存在する或る項目に対応する所定の属性の値が所定の条件を満たす場合、当該或る項目の位置を位置的基準とした所定の範囲にある項目を前記表示領域に表示する期間では、前記スクロール速度を通常の速度又はそれ未満にすることを特徴とするスクロール表示装置。
【請求項４】
請求項３に記載のスクロール表示装置であって、
前記スクロール速度調整手段は、前記スクロール速度を通常の速度又はそれ未満にしてから、スクロールボタンの押下が解除されたならば、スクロールを停止することを特徴とするスクロール表示装置。
【請求項５】
請求項３又は４に記載のスクロール表示装置であって、
各項目に対応する所定の属性の値は、数値、文字、記号若しくは画像又はこれらの少なくとも２つの組み合わせにより表されることを特徴とするスクロール表示装置。
【請求項６】
請求項３又は４に記載のスクロール表示装置であって、
各項目に対応する所定の属性とは、該項目の属性、又は、該項目の属性に関連した他の属性であることを特徴とするスクロール表示装置。
【請求項７】
請求項３乃至６の何れか１項に記載のスクロール表示装置であって、
或る項目に対応する所定の属性の値が所定の条件を満たすとは、
（１）或る項目に対応する所定の属性の値と１又は複数の所定の値との比較結果が所定の条件を満たすこと、
（２）或る項目に対応する所定の属性の値と１又は複数の入力した値との比較結果が所定の条件を満たすこと、及び、
（３）或る項目についての選択履歴が所定の条件を満たすこと、
の何れか１つが成立する場合、又は、これらの少なくとも２つが同時に成立する場合であることを特徴とするスクロール表示装置。
【請求項８】
請求項３乃至７の何れか１項に記載のスクロール表示装置であって、
前記或る項目に対応する所定の属性とは、
当該スクロール表示装置が配置されている位置に関連した属性、当該スクロール表示装置を利用している者に関連した属性、又は、これらの組み合わせに関連した属性であることを特徴とするスクロール表示装置。
【請求項９】
請求項１乃至８の何れか1項に記載のスクロール表示装置を備えることを特徴とする複合機。
【請求項１０】
所定の表示領域に表示する１又は複数の項目をスクロールするためのスクロールステップと、
前記スクロール手段によるスクロールの速度を調整するためのスクロール速度調整ステップと、
を備え、
前記スクロール速度調整ステップでは、利用者によるスクロールのための操作時間と、前記表示領域に表示する各項目に関連した情報に基づいて、前記スクロール速度を調整することを特徴とするスクロール表示方法。
【請求項１１】
コンピュータを請求項１乃至８の何れか１項に記載のスクロール表示装置として機能させることを特徴とするスクロール表示用プログラム。
【発明の詳細な説明】
【技術分野】
【０００１】
本発明は、所定の表示領域に１又は複数の項目をスクロール表示するためのスクロール表示装置、これを備える複合機及びスクロール表示方法に関する。
【背景技術】
【０００２】
コンピュータや種々の装置のＧＵＩ(Graphic User Interface)画面においては、所定の表示領域に表示する１又は複数の項目をスクロールするためのスクロール機能が備わる。スクロール機能が備わっているため、所定の表示領域に同時に表示することができる１又は複数の項目よりも多い複数の項目を表示することが可能となっている。このようなスクロール機能は、例えば、ＧＵＩ画面における一覧表示領域に適用される。一覧表示領域に同時に表示することができる項目の数が例えば１０である場合において、表示するべき項目数が１０以下であれば、スクロール機能は必要ないが、項目数が１０を超えれば、スクロール機能を利用することになる。
【０００３】
スクロール機能が有効化された場合には、例えば、一覧表示領域の一辺に、スクロールバーが表示される。このスクロールバーは、スクロールバー内で移動可能なスライダとスクロールバーの両端に配置された一対のスクロールボタンを備える。利用者がスライダをスライドさせることにより表示項目をスクロールさせることができる。また、利用者がスクロールボタンを押下することによっても表示項目をスクロールさせることができる。
【０００４】
また、同時に１つの項目しか表示しない表示領域の隣にスピンボタンが配置されることがある。スピンボタンは、一対の矢印ボタンを備える。利用者が何れかの矢印ボタンを押下することにより表示項目をスクロールさせることができる。
【先行技術文献】
【特許文献】
【０００５】
【特許文献１】特開２００４−２２３９２２号公報
【特許文献２】特開２００７−２４０８８９号公報
【特許文献３】特開２００７−９４９８７号公報
【発明の概要】
【発明が解決しようとする課題】
【０００６】
しかし、スクロールボタンを押した場合には、通常は、そのボタンに対応する方向に画面が一定の速度でスクロールするのみであるため、特に、スクロール範囲が広い場合には、利用者は、目的とする項目が表示されるまで待ち続けなければならない。また、スライダを操作することにより、表示項目をジャンプさせることができるが、ジャンプ後に表示される項目を正確に予測することは必ずしも容易ではない。
【０００７】
特許文献１には、一定時間以上、押下され続けているキーがあることを認識したならば、その後、そのキーの押下が連続押下であるとみなすキーリピート機能を有する情報処理装置が開示されている。しかし、スクロール表示される項目に依存するようにスクロール速度を調整することはできない。
【０００８】
特許文献２には、単一のボタンで画面スクロール中にその速度を加速／減速の何れにも自由に調整可能なスクロール制御装置が開示されている。しかし、スクロール表示される項目に依存するようにスクロール速度を調整することはできない。
【０００９】
特許文献３には、先頭見出語位置に表示されているカーソルキーを連続押下して表示カーソルを連続移動させ、ユーザ入力文字列の次に入る文字が変化する見出し語一覧部分に差し掛かると、カーソル移動動作が一旦停止され、スクロール速度が一時的に低下する辞書情報表示制御装置が記載されている。しかし、カーソルキーを連続押下してもスクロールの速度を速めることができない。また、カーソル移動動作が一旦停止される箇所は、ユーザ入力文字列の次に入る文字が変化する見出し語一覧部分であるが、特にこの部分にある見出語が頻繁に選択される可能性が高いということはない。
【００１０】
そこで、本発明は、利用者が目的とする項目を選択するまでの待ち時間を短縮し、且つ、利用者が目的とする項目を見逃す可能性を減らすようなスクロール表示装置、これを備える複合機及びスクロール表示方法を提供することを目的とする。
【課題を解決するための手段】
【００１１】
本発明によれば、所定の表示領域に表示する１又は複数の項目をスクロールするためのスクロール手段と、前記スクロール手段によるスクロールの速度を調整するためのスクロール速度調整手段と、を備え、前記スクロール速度調整手段は、利用者によるスクロールのための操作時間と、前記表示領域に表示する各項目に関連した情報に基づいて、前記スクロール速度を調整することを特徴とするスクロール表示装置が提供される。
【００１２】
また、本発明によれば、上記のスクロール表示装置を備えることを特徴とする複合機が提供される。
【００１３】
更に、本発明によれば、所定の表示領域に表示する１又は複数の項目をスクロールするためのスクロールステップと、前記スクロール手段によるスクロールの速度を調整するためのスクロール速度調整ステップと、を備え、前記スクロール速度調整ステップでは、利用者によるスクロールのための操作時間と、前記表示領域に表示する各項目に関連した情報に基づいて、前記スクロール速度を調整することを特徴とするスクロール表示方法が提供される。
【００１４】
更に、本発明によれば、コンピュータを上記のスクロール表示装置として機能させることを特徴とするスクロール表示用プログラムが提供される。
【発明の効果】
【００１５】
本発明によれば、利用者が目的とする項目を選択するまでの待ち時間を短縮し、且つ、利用者が目的とする項目を見逃す可能性を減らすことができる。
【図面の簡単な説明】
【００１６】
【図１】本発明の実施の形態によるスクロール方法を説明するためのフローチャートである。
【図２】本発明の実施の形態によるスクロール方法を説明するための図である。
【図３】本発明の第１の実施の形態によるスクロール表示画面を示す図である。（ａ）は、初期状態における画面、（ｂ）は、項目選択の直前における画面、（ｃ）は、項目直後における画面である。
【図４】本発明の第２の実施の形態によるスクロール表示画面を示す図である。（ａ）は、初期状態における画面、（ｂ）は、項目選択の直前における画面、（ｃ）は、項目直後における画面である。
【図５】本発明の第３の実施の形態による初期状態におけるスクロール表示画面を示す図である。
【図６】本発明の第３の実施の形態による項目選択の直前におけるスクロール表示画面を示す図である。
【図７】本発明の第３の実施の形態による項目直後におけるスクロール表示画面を示す図である。
【図８】本発明の第４の実施の形態による初期状態におけるスクロール表示画面を示す図である。
【図９】本発明の第４の実施の形態による項目直後におけるスクロール表示画面を示す図である。
【図１０】本発明の第６の実施の形態によるスクロール装置の構成を示す機能ブロック図である。
【図１１】本発明の第７の実施の形態による複合機の概要を示す断面図である。
【図１２】本発明の第７の実施の形態による複合機機能ブロック図である。
【発明を実施するための形態】
【００１７】
以下、図面を参照して本発明を実施するための形態について詳細に説明する。
【００１８】
図１を参照すると、まず、利用者によりスクロールボタンが押下される（ステップＳ２０１）。これにより、通常速度でのスクロール表示を開始する(ステップＳ２０３)。
【００１９】
次に、スクロールボタンの押下が解除されたか否かの判断（ステップＳ２０５）を、所定時間が経過するまで繰り返す（ステップＳ２０７）。
【００２０】
所定時間が経過する前に、スクロールボタンの押下が解除されたならば（ステップＳ２０５でＹＥＳ）、スクロールを停止する（ステップＳ２２５）。
【００２１】
所定時間が経過しても、スクロールボタンの押下が解除されなければ（つまり、スクロールボタンの押下が所定時間以上継続したならば）（ステップＳ２０７でＹＥＳ）、スクロール速度を所定の高速度まで上げる（ステップＳ２０９）。ここで、所定の高速度とは、通常速度よりも早い速度であり、予め決められていてもよいし、管理者又は利用者により決められてもよい。
【００２２】
次に、スクロール速度を上げている状態において、スクロール先に選択候補項目があるか否かを判断する（ステップＳ２１１）。ここで、スクロール先に選択候補項目があることとは、現在表示している項目からスクロール先の方向の最遠の位置にある項目の間に少なくとも１つの選択候補項目があるということである。
【００２３】
スクロール先に選択候補項目がなければ（ステップＳ２１１でＮＯ）、スクロールボタンが解除されたか否かの判断を継続し（ステップＳ２１３）、解除されたならば（ステップＳ２１３でＹＥＳ）、スクロールを停止する（ステップＳ２２５）。
【００２４】
スクロール先に選択候補項目があれば（ステップＳ２１１でＹＥＳ）、スクロールボタン押下が解除されない限り（ステップＳ２１５でＮＯ）、選択候補項目がスクロール画面に近づいたか否かを継続的に判断する（ステップＳ２１７）。ここで、選択候補項目がスクロール画面に近づくとは、例えば、選択候補項目と表示領域の近端部との間の徐々に減少している項目の数が所定値（ｎ＋１）（ｎは１以上の整数）まで減少することである（図２（ａ）、（ｂ）、（ｃ）参照）。
【００２５】
選択候補項目がスクロール画面に近づく前にスクロールボタン押下が解除されたならば（ステップＳ２１５でＹＥＳ）、スクロールを停止する（ステップＳ２２５）。
【００２６】
選択候補項目がスクロール画面に近づいたならば（ステップＳ２１７でＹＥＳ）、スクロール速度を所定の選択用速度まで下げる（ステップＳ２１９）。ここで、選択用速度とは、通常速度又はそれよりも遅い速度であり、予め決められていてもよいし、管理者又は利用者により決められてもよい。また、高速度から選択用速度まで、速度を段階的に下げてもよいし、なだらかに下げてもよい。
【００２７】
次に、スクロールボタン押下が解除されない限り（つまり、スクロールボタン押下が継続している限り）（ステップＳ２２１でＮＯ）、選択候補項目がスクロール画面から通り過ぎたか否かを判断し（ステップＳ２２３）、通り過ぎたならば（ステップＳ２２３でＹＥＳ）、ステップＳ２０９に戻り、速度を高速度に戻す（図２（ｄ）〜（ｉ）参照）。また、通り過ぎなくても（つまり、選択候補項目がスクロール画面内にあっても）（ステップＳ２２３でＮＯ）、スクロール画面内に選択候補項目が表示されてから所定時間が経過したならば（ステップＳ２２４でＹＥＳ）、ステップＳ２０９に戻り、速度を高速度に戻す。
【００２８】
選択候補項目がスクロール画面から通り過ぎる前にスクロールボタン押下が解除されたならば（ステップＳ２２１でＹＥＳ）、スクロールを停止する（ステップＳ２２５）。また、スクロール画面内に選択候補項目が表示されてから所定時間が経過する前にスクロールボタン押下が解除されたならば（ステップＳ２２１でＹＥＳ）、スクロールを停止する（ステップＳ２２５）。
【００２９】
なお、スクロール画面内に選択候補項目が表示されてから所定時間が経過したならば（ステップＳ２２４でＹＥＳ）、速度を高速度に戻すという条件と結果を設けたのは、ステップＳ２１９で設定したスクロール画面のスクロール速度が非常に遅い場合もあるので、選択候補項目を選択しないことがほぼ明らかになった場合に選択候補項目がスクロール画面を通過するまで待たなくてもよいことを考慮したものであり、これを考慮しなければ、この条件と結果を省略することができる。
【００３０】
従って、スクロールボタンが押下されている状態が継続するならば、まず、スクロール速度が通常速度から高速度まで上がり、その後、選択候補項目が近づいたならば、スクロール速度は、選択用速度まで下がり、選択候補項目の表示が終了したならば、スクロール速度は、再度、高速になる。そして、次の選択候補項目が近づいたならば、再度、スクロール速度は、選択用速度まで下がり、当該次の選択候補項目の表示が終了したならば、スクロール速度は、再度、高速になる。これが繰り返されることになる。
【００３１】
何れかの選択候補項目を利用者が選択する場合には、まず、スクロールボタンの押下を解除し、それからスクロール表示領域に表示されている選択候補項目を選択することになる。この場合には、スクロールボタンの押下の解除により、スクロールは停止するので、利用者は、停止した状態で表示されている選択候補項目を選択することになる。
【００３２】
［第１の実施の形態］
図３は、スクロール画面に、昇冪に１から順に整数を表示する場合のスクロール表示方法を示すものである。
【００３３】
図３（ａ）、（ｂ）は、下向きのスクロールボタンが継続的に押下されることにより、下側に隠れている項目を表示するために、表示される各整数が上向きに移動し、表示領域が１乃至２４から８４乃至１０６に変化する様子を示す。
【００３４】
まず、図３（ａ）の状態において、下向きのスクロールボタンが押下され始めると、通常速度でのスクロールが開始する。所定時間が経過したならばスクロール速度が高速度まで上がる。
【００３５】
ここで、１００という数値は、選択候補項目であり、図示していないが、例えば、表示領域が７４乃至９６になったときから、スクロール速度が高速度から選択用速度まで下がる。
【００３６】
そして、図３（ｂ）は、選択用速度でのスクロールを開始してから所定時間経過後のスクロール画面を示すものである。この時においては、選択候補項目である１００は、選択用速度でスクロールしているため、利用者にとって見易くなっている。図３（ｃ）は、１００が選択された状態を示している。１００に近い数値も同様に、利用者にとって見易くなっている。１００を選択しようとする利用者は、１００を見つけたならば、スクロールボタンの押下を中止して、スクロールが停止したところで１００を選択する。例えば、この数値が複写装置における複写の倍率を示すものであれば、倍率１００％を選択することが容易であるばかりではなく、微調整をした１００％に近い数値（例えば、９４％など）も選択することが容易である。
【００３７】
なお、この数値が複写の倍率を表すものであるならば、代表的な複写倍率（Ａ版からＡ版又は、Ｂ版からＢ版ならば、２００．２％、１４１．４％、１００％、７０．７％、５０％；Ａ版からＢ版ならば、１７３．１％、１２２．５％、８６．６％、６１．２％；Ｂ版からＡ版ならば、１６３．３％、１１５．４％、８１．７％、５７．８％など）に対応する数値を選択候補項目に設定することにより、拡大複写又は縮小複写をすることが容易となる。また、代表的な複写倍率に微調整を追加した倍率で複写をすることも容易となる。更に、他のボタンで複写の倍率が選択された後に、それに対応する数値を選択候補項目に設定することにより、その倍率の付近のみで選択用速度でのスクロールが行われるので、倍率を設定した後での微調整が容易となる。
【００３８】
第１の実施の形態では、表示項目は、数値であった。例えば、１００％近い数値の範囲で複写の倍率を調整する用途では、数値が１００である場合に、その数値が選択候補項目に設定される。また、何種類かの拡大縮小率から何れかのものを選択する場合には、原稿の用紙サイズと複写後の用紙サイズの組合せが、数値に対応付けられ、その数値が何れかの組合せに対応すれば、その数値は選択候補項目に設定される。
【００３９】
また、数値が、何種類かある対象物の特定の物理量の数量を表す場合、数値が特定の種類の対象物の特定の物理量の数値に対応するのであれば、その数値は選択候補項目に設定される。
【００４０】
また、選択された項目の履歴を取り、それまでに選択されたことが多い項目を選択候補項目としてもよい。これは、利用者毎に行ってもよいし、装置毎に行ってもよい。
【００４１】
［第２の実施の形態］
図４は、スクロール画面に、北から南に向かう順に日本の各都道府県の名称を表示する場合のスクロール表示方法を示すものである。
【００４２】
図４（ａ）、（ｂ）は、下向きのスクロールボタンが継続的に押下されることにより、下に隠れている都道府県の名称を表示するために、現在表示される各都道府県の名称が上向きに移動し、表示領域が「北海道」乃至「埼玉」から「三重」乃至「広島」に変化する様子を示す。
【００４３】
まず、図４（ａ）の状態において、下向きのスクロールボタンが押下され始めると、通常速度でのスクロールが開始する。所定時間が経過したならばスクロール速度が高速度まで上がる。
【００４４】
ここで、図４（ｂ）において下線が引かれている「三重」、「滋賀」、「京都」、「大阪」、「兵庫」、「奈良」、「和歌山」は、近畿地方の都道府県の名称であり、これらの県名は、選択候補項目である。そして、図示していないが、例えば、北から見て「三重」の少し手前にある「岐阜」の表示が開始されるときから、スクロール速度が高速度から選択用速度まで下がる。
【００４５】
そして、図４（ｂ）は、選択用速度でのスクロールを開始してから時間が経過した時のスクロール画面を示すものである。この時においては、選択候補項目である「三重」、「滋賀」、「京都」、「大阪」、「兵庫」、「奈良」、「和歌山」は、選択用速度でスクロールしているため、選択され易くなっている。図４（ｃ）は、「奈良」が選択された状態を示している。「奈良」以外の「三重」、「滋賀」、「京都」、「大阪」、「兵庫」、「和歌山」も同様に、選択され易くなっている。
【００４６】
複写機又は複合機を会社や学校やコンビニエンスストアに設置する際には、その設置場所に関する情報を複写機又は複合機に設定することができる。また、複写機又は複合機からアクセスすることができるサーバに設定することもできる。設置場所に関する情報に基づいて、設置場所が属する地方にある都道府県の名称のグループを取得することができる。これに基づいて、このグループに含まれる都道府県の名称を選択候補項目として設定することができる。
【００４７】
このスクロール画面で選択する必要がある都道府県の名称が複写機又は複合機が設置されている都道府県の名称であれば、このような設定のおかげで、選択することが容易となる。
【００４８】
第２の実施の形態では、表示項目は、文字で表された都道府県の名称であり、これは、複写機又は複合機が設定された場所がある地方に属する都道府県の名称のグループである。複写機又は複合機の設定場所は、管理者が入力してもよいし、装置がＧＰＳなどから取得してもよい。場所は、実際に装置が設定されている場所に限らず、所定の目的のために利用者などにより設定された他の場所であってもよい。
【００４９】
また、都道府県、市区町村などの地域の名称が所定の文字を含んでいることを条件として、それを選択候補項目としてもよい。そして、その所定の文字は、利用者により入力されたものであってもよいし、装置が内部又は外部から取得したものであってもよい。
【００５０】
また、選択された項目の履歴を取り、それまでに選択されたことが多い項目を選択候補項目としてもよい。これは、利用者毎に行ってもよいし、装置毎に行ってもよいし、地域毎に行ってもよい。
【００５１】
更に、コンビニエンスストアに設定された複写機又は複合機は、スーパバイザとサービスマンと店員により管理されているが、スーパバイザの管轄範囲と、サービスマンの管轄範囲と、店員の管轄範囲は、一般に相互に異なる。例えば、スーパバイザの管轄範囲は、特定の都道府県の幾つかの市区町村であり、サービスマンの管轄範囲は、特定の都道府県のそれよりも少ない数の市区町村であり、店員の管轄範囲は、１つ又は幾つかの店舗のみである。複写機または複合機をメンテナンスするために、これらの者がスクロール画面を含む管理画面を用いる場合があるが、或る店舗に設置されている複写機又は複合機のスクロール画面を利用する場合、特定表示項目として表示する地域的な範囲を、スーパバイザ、サービスマン、店員の管轄範囲を記録したデータベースをこれらの者のＩＤをキーとして参照することにより、この管轄範囲に合わせることができる。
【００５２】
［第３の実施の形態］
図５、図６、図７は、スクロール画面に、従業員の役職名付の氏名を呼び名順に表示する場合のスクロール表示方法を示すものである。
【００５３】
図５、図６は、上向きのスクロールボタンが継続的に押下されることにより、上に隠れている氏名を表示させるために、現在表示される各氏名が下向きに移動し、表示領域が「和田一郎  部長」乃至「渡辺二郎」から「熊沢一郎  係長」乃至「久保田太郎  係長」に変化する様子を示す。
【００５４】
まず、図５の状態において上向きのスクロールボタンが押下され始めると、通常速度でのスクロールが開始する。所定時間が経過したならばスクロール速度が高速度まで上がる。
【００５５】
ここで、（カ行／係長）という呼び名の頭文字と役職の組合せは、選択候補項目であり、図示していないが、例えば、逆順で（ワ行）から（カ行）に達する直前の（サ行）に到達したとき、又は、呼び名が（サ）で始まる氏名に到達したときから、スクロール速度が高速度から選択用速度まで下がる。
【００５６】
そして、図６は、選択用速度でのスクロールを開始してから時間が経過した時のスクロール画面を示すものである。この時においては、選択候補項目である（カ行／係長）という呼び名の頭文字と役職の組合せは、選択用速度でスクロールしているため、利用者にとって見易くなっている。図７は、（カ行／係長）という呼び名の頭文字と役職の組合から「久保田三郎  係長」が選択された状態を示している。「久保田三郎  係長」に近い「久保田一郎  係長」、「久保田太郎  係長」も同様に、選択され易くなっている。
【００５７】
例えば、利用者が自分の所属する部門の係長が「久保田三郎  係長」であることを知っているのが通常であるが、この場合、他の入力手段により、「役職＝係長」と「氏名の頭文字の行＝カ」を入力しておけば、スクロール画面は、このように変化するので、スクロール画面から「久保田三郎  係長」を選択することが容易になる。
【００５８】
また、複写機又は複合機の利用を開始するにあたり、利用者が、自分のＩＤを複写機又は複合機に入力して、ログインするような使い方をする場合があるが、このような場合には、利用者のＩＤに基づいて、その利用者が所属する部門、その部門に対応する各役職毎の氏名を従業員のデータベースから検索することができる。ここで、データベースは、各レコードに、少なくとも従業員の氏名、ＩＤ、役職をフィールドとして持つようなものである。従って、上述の例では、利用者は、自分のＩＤを複写機又は複合機に読み込ませるだけで、スクロール画面から「久保田三郎  係長」を選択することが容易になる。
【００５９】
利用者が複写機又は複合機に自分のＩＤを入力したならば、従業員の氏名と役職を表示するスクロール画面から、自分の所属する部門に対応する各役職の人物の氏名を役職付で選択することが容易となる。図の例にはないが、例えば、課長が「鈴木一雄」であり、部長が「田中義一」であれば「鈴木一雄  課長」と「田中義一  部長」を選択候補項目としてもよく、このような場合には、同様に、（サ行／課長）、（タ行／部長）に近づいたならば、スクロール速度を選択用速度にして、「鈴木一雄  課長」と「田中義一  部長」を選択することを容易にすることができる。
【００６０】
第３の実施の形態では、表示項目は、文字で表された氏名及び役職名であるが、氏名及び役職名の組合せが所定の条件を満たすことのみならず、その氏名及び役職名に対応した所定の属性が所定の条件を満たすならば、その氏名及び役職を選択候補項目としてもよい。例えば、その氏名及び役職名に対応した住所、家族構成、給与などが所定の条件を満たすならば、その氏名及び役職を選択候補項目としてもよい。
【００６１】
また、選択された項目の履歴を取り、それまでに選択されたことが多い項目を選択候補項目としてもよい。これは、利用者毎に行ってもよいし、装置毎に行ってもよいし、部門毎に行ってもよい。
【００６２】
［第４の実施の形態］
図８、図９は、スクロール画面に、画像を表示する場合のスクロール表示方法を示すものである。このスクロール画面は、縦２×横４の画像を同時に表示することができ、スクロールボタンを押すことにより水平方向（右方向又は左方向）にスクロールする。
【００６３】
図８、図９は、右向きのスクロールボタンが継続的に押下されることにより、右に隠れている画像を表示させるために、現在表示される画像が左向きに移動し、表示される画像が図８に示す８つのものから中途の段階を経て図９に示す８つのものに変化する様子を示す。
【００６４】
ここでは、「山」というキーワードが対応付けられた画像が、選択候補項目であるとしている。これに対応する画像は、図９の画面の左上の隅にある。山というキーワードは、画像から「山」を画像認識して、それを文字化したものであってもよいし、外部から利用者などにより入力されたものであってもよい。キーワードは、画像に埋め込まれていてもよい。また、データベースにおいて、画像とキーワードが対応付けられていてもよい。
【００６５】
まず、図８の状態において、右向きのスクロールボタンが押下され始めると、通常速度でのスクロールが開始する。所定時間が経過したならばスクロール速度が高速度まで上がる。図８に示すスクロール画面には、「山」というキーワードに対応付けられた画像はない。また、中途のスクロール画面（図示せず）にも、「山」というキーワードに対応付けられた画像はない。しかし、中途のスクロール画面は、図９に示す「山」というキーワードに対応付けられた画像を表示するスクロール画面に近いものであるため、中途のスクロール画面は、選択用速度でスクロールする。そして、図９に示すスクロール画面を表示するまで、選択用速度によるスクロールを継続する。
【００６６】
利用者は、図９に示す選択用速度でスクロールしている画面において、キーワード「山」に対応付けられた画像を容易に見つけることが可能となる。
【００６７】
ここで、このスクロール画面を表示する装置は、利用者のＩＤを受け付けるものである。この装置は、利用者のプロファイルを保存し、又は、それにアクセスすることが可能である。プロファイルには、その利用者が好きなものがカテゴリ毎に列記されている。カテゴリとしては、例えば、音楽、スポーツ、映画、音楽、ゲーム、趣味、書籍、食べ物、俳優、女優などがある。例えば、スポーツ又は趣味として山登りがあれば、その利用者には「山」が対応付けられる。
【００６８】
従って、装置にログインした利用者ＩＤにプロファイルにおいてこのように「山」が対応付けられていれば、図８、図９に示すようなスクロール画面を表示して、利用者が「山」に対応付けられている画像を選択することを容易にすることができる。
【００６９】
図８、図９に示すような画像を表示するスクロール画面には、通常の写真の他に、音楽のレーベル、映画のタイトル画像、ゲームのタイトル画像などを表示することができる。利用者に音楽のジャンル、映画のジャンル、ゲームのジャンルが対応づけられていれば、利用者のこれらの好きなジャンルに対応した画像をスクロール画面において選択用速度で表示することが可能になる。ここで、利用者に対応するジャンルは、１つであっても複数であってもよい。例えば、写真の例でいえば、山のみであってもよいし、山と海であってもよい。音楽の例でいえば、クラシックのみであってもよいし、クラシックとジャズであってもよい。
【００７０】
また、選択された項目の履歴を取り、それまでに選択されたことが多い項目を選択候補項目としてもよい。これは、利用者毎に行ってもよいし、装置毎に行ってもよいし、分類された利用者グループ毎に行ってもよい。
【００７１】
［第５の実施の形態］
第１の実施の形態では、表示項目は、数値であり、第２の実施の形態では、表示項目は、文字で表された都道府県の名称であり、第３の実施の形態では、表示項目は、文字で表された氏名及び役職名であり、第４の実施の形態では、表示項目は、画像であったが、表示項目を他のものにより表してもよい。例えば、記号によって表してもよい。また、数値、文字、記号若しくは画像又はこれらの少なくとも２つの組み合わせにより表わしてもよい。
【００７２】
［第６の実施の形態］
図１０は、第６の実施の形態によるスクロール装置の機能ブロック図である。
【００７３】
図１０を参照すると、本実施形態によるスクロール装置は、項目情報格納部１０１、項目対応情報取得部１０３、比較条件設定部１０５、押下時間検出部１０７、スクロール速度調整部１０９、スクロール部１１１及びスクロール画面１１３を含む。
【００７４】
項目情報格納部１０１は、スクロール画面１１３に表示するべき項目を格納する。
【００７５】
項目対応情報取得部１０３は、項目情報格納部１０１に格納されている項目に対応する情報であって、スクロール速度の調整に利用されるものを項目情報格納部１０１又は外部から取得する。
【００７６】
比較条件設定部１０５は、項目対応情報取得部１０１が取得した項目対応情報に対する比較相手、比較条件などを設定する。
【００７７】
押下時間検出部１０７は、利用者によるスクロールボタンが押下されている時間を検出する。なお、押下時間検出部１０７は、利用者によるスクロールボタンが押下されている時間を検出する。押下時間検出部１０７は、スクロールボタンが現在押下されているか否かの検出も行う。
【００７８】
スクロール速度調整部１０９は、押下時間検出部１０７が検出したスクロールボタンの押下状態及び押下時間、並びに、項目対応情報取得部１０３が取得した項目対応情報及び比較条件設定部１０５が設定した比較相手、比較条件に基づいて、スクロール速度を調整する。
【００７９】
スクロール部１１１は、スクロール画面１１３に、項目情報格納部１０１に格納されている項目を、スクロール速度調整部１０９により調整された速度でスクロール表示する。
【００８０】
スクロール画面１１３は、複合機などの様々な機器のＧＵＩ画面に含まれる。また、スクロール画面１１３には、スクロールバーが備わっていてもよく、スクロールバーには、スライダ、両方向のスクロールボタンが含まれる。
【００８１】
［第７の実施の形態］
第７の実施の形態は、第１乃至第６の実施の形態による原稿読取装置を含む複合機８００に関するものである。図１１及び図１２は、複合機８００の構成などを示すものである。
【００８２】
図１１及び図１２に示すように、複合機８００は、原稿の画像を読み取る原稿読取装置８２０と、シートに画像を形成する複合機本体（画像形成部本体）２１５と、原稿読取装置８２０及び複合機本体２１５を操作するための操作パネル部２１７と、操作パネル部２１７による操作に基づいて原稿読取装置８２０及び複合機本体２１５を制御する演算処理部２１３と、を備えている。
【００８３】
画像読取りのために原稿読取装置８２０を単体で用いること、画像形成のために画像形成部本体２１５を単体で用いることの他に、画像を複写するためにこれらを連動させることもできる。また、複合機８００は図示しない記憶装置及びファクシミリ装置を含んでいてもよい。記憶装置は、原稿読取装置により読み取られた画像やファクシミリ装置により受信した画像を格納することができる。ファクシミリ装置は、原稿読取装置により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００８４】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１２に示す構成要素の他に、図１２には示されないが図１１に示される構成要素も含む。
【００８５】
複合機本体２１５は、シートを給送するシート給送部１０と、シートを手差し給送可能な手差し給送部２０と、シート給送部１０又は手差し給送部２０により給送されるシートに画像を形成する画像形成部３０と、を備えている。
【００８６】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００８７】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体２１５に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００８８】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００８９】
４つのプロセスカートリッジ３１Ｙ〜３１Ｋのそれぞれは、複合機本体２１５から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００９０】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００９１】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００９２】
操作パネル部２１７は、所定の情報を表示する表示部２１１と、利用者が原稿読取装置８２０及び複合機本体２１５への指示を入力する入力部２０３と、を備えている。本実施形態においては、操作パネル部２１７は、読取装置本体８２２の正面側に配設されている。なお、正面側は図１１の紙面の手前側に対応し、裏面側は図１１の背面側に対応する。
【００９３】
図１２に示すように、演算処理部２１３は、シート給送部１０、手差し給送部２０、画像形成部３０及び原稿読取装置８２０を駆動制御するＣＰＵ２１３ａと、ＣＰＵ２１３ａを動作させるための各種プログラムとＣＰＵ２１３ａが用いる各種情報等を記憶するメモリ２１３ｂと、を備えている。演算処理部２１３は、利用者による操作パネル部２１７への操作に基づいて、シート給送部１０、手差し給送部２０、画像形成部３０及び原稿読取装置８２０の動作を統合して制御し、シートに画像を形成させる。
【００９４】
なお、演算処理部２１３に、図１０に示すスクロール表示装置が含まれていてもよい。
【００９５】
次に、上述のように構成された複合機８００による画像形成動作（演算処理部２１３による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００９６】
利用者による操作パネル部２１７の入力部２０３への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００９７】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００９８】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００９９】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１００】
なお、シートの両面（第１面及び第２面）に画像を形成する場合に、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１０１】
なお、上記のスクロール表示装置は、ハードウェア、ソフトウェア又はこれらの組合わせにより実現することができる。また、上記のスクロール表示装置により行なわれるスクロール表示方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１０２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１０３】
本発明は、複数の項目のスクロール表示に利用することができる。
【符号の説明】
【０１０４】
１０１  項目情報格納部
１０３  項目対応情報取得部
１０５  比較条件設定部
１０７  押下時間検出
１０９  スクロール速度調整部
１１１  スクロール部
１１３  スクロール画面
【図１】
2018084676.tif 000003
【図２】
2018084676.tif 000004
【図３】
2018084676.tif 000005
【図４】
2018084676.tif 000006
【図５】
2018084676.tif 000007
【図６】
2018084676.tif 000008
【図７】
2018084676.tif 000009
【図８】
2018084676.tif 000010
【図９】
2018084676.tif 000011
【図１０】
2018084676.tif 000012
【図１１】
2018084676.tif 000013
【図１２】
2018084676.tif 000014